(57)【要約】  本発明は、植毛プロセスの間に、先に得られた植毛片を禿頭頭皮上に作られた切開部内に配置することを可能にする植毛片配置装置に関する。本発明は、壁厚（１）、端部領域（２）、狭い溝部（３）、広い溝部（４）、金属管（５）、ハンドルグリップ（６）、およびフィンガースロット（７）からなる。
2019534128.tif 000002
【特許請求の範囲】
【請求項１】
壁厚（１）、端部領域（２）、狭い溝部（３）、広い溝部（４）、金属管（５）、ハンドルグリップ（６）、およびフィンガースロット（７）を備えることを特徴とする植毛片配置装置。
【請求項２】
切開部への進入を可能にする壁厚（１）が０．０５ｍｍの端部領域（２）を特徴とする、請求項１に記載の植毛片配置装置。
【請求項３】
前記金属管（５）が狭い溝部（３）および植毛を保持する広い溝部（４）を備えることを特徴とする、請求項１に記載の植毛片配置装置。
【請求項４】
使いやすさを提供する前記ハンドルグリップ（６）がフィンガースロット（７）を備えることを特徴とする、請求項１に記載の植毛片配置装置。
【請求項５】
前記ハンドルグリップ（６）がシリコーン製であることを特徴とする、請求項１に記載の植毛片配置装置。
【発明の詳細な説明】
【技術分野】
【０００１】
本発明は、植毛プロセスの間に、先に得られた植毛を禿頭頭皮上に作られた切開内に配置することを可能にする植毛片配置装置に関する。
【背景技術】
【０００２】
胚形成の間に、いわゆる「毛」（非生物的伸長）が真皮または皮下組織の方向への間葉細胞の伸長から生じる毛包から発生する。人体には、多くの領域内に様々な長さの毛が含まれている。
【０００３】
目に見えない毛包のポケットが、人体の頭部において、頭皮と呼ばれる皮膚の領域内に存在する。毛包は、特定の身体領域からの信号を介して活動的になり、頭皮の下から毛が現れ、１日当たり平均０．４１ｍｍ成長する。典型的には、人間の頭の領域には、１００，０００〜１２５，０００の毛髪繊維が含まれている。各毛髪繊維は、他のものから独立したそれ自身のライフサイクルを有する。毎日、このサイクルの過程で、平均１００本の毛髪繊維が失われる。
【０００４】
通常の脱毛パターンに加えて、ストレス、喫煙、放射線、化学療法、様々な治療法、遺伝的特徴などの状況にさらされている人々は、さらに多くの脱毛を経験する。しかしながら、彼らは、いかなる髪の再生も観察しない。時間が経つにつれて、頭皮の一部または全部が禿げる可能性がある。ＦＵＥ（Ｆｏｌｌｉｃｕｌａｒ  Ｕｎｉｔ  Ｅｘｔｒａｃｔｉｏｎ：毛包単位摘出）植毛法は、毛包の摘出とそれに続く他の禿頭頭皮領域への移植を可能にし、こうして以前は欠けていた場所に毛髪被覆を提供する。
【０００５】
植毛は通常、患者の頭皮領域全体を剃毛することから始まる。その後、手動の手術用パンチまたは電動装置を使用して、毛包を患者の皮下の頭皮組織から摘出する。摘出後、植毛片を移植する頭皮の領域にマイクロサファイアブレードを使用して事前に切開を行う。植毛片は伝統的に、鉗子を用いて予め作られた切開部にわずかな押し込み運動で挿入される。この配置方法を用いた植毛片の生存率は、１０植毛片のうち８植毛片である。したがって、２０％の損失がある。この処置は長期間にわたって行われているため、面倒で費用がかかる可能性がある。この場合、非効率レート２０％は高いと考えられる。さらに、期待される密度および望まれる自然な外観が影響を受ける可能性があり、それが次に潜在的な結果に影響を与える。このシステムでは、移植切開部の治癒にはより多くの時間がかかり、予想される毛髪の成長には最大１年かかる可能性がある。
【発明の概要】
【発明が解決しようとする課題】
【０００６】
本発明は、植毛処置の間に１００％の効率で予め作られた切開部への植毛片の複雑でない配置を可能にし、その後のより速い成長を可能にする。
【０００７】
この新しい器具の構想の前には、鉗子を使用して予め作られた切開部に植毛片を配置することが標準と考えられていた。しかしながら、鉗子の使用は、植毛片の配置および埋め込みにおける誤りのための余地を残した。これは、技術者の疲労とそれに伴う不適切な圧力が鉗子にかかること、植毛片の受け取りを待っている間の切開サイズの制限、および切開の角度を決定できないことが原因であった。多くの場合、これらの条件下で、植毛片は２４時間以内に切開部位内でカールし始めた。この現象は、次に、毛の成長と予想される結果を抑制し、それによって１０のうち２つの毛髪植毛片の健康な成長に影響を与えた。仮説として、鉗子が移植に使用される少なくとも２０００〜２５００植毛片の植毛片カウントで行われる処置では、５００植毛片の損失が予想され得る。この状況は、期待される密度および望まれる自然な外観に達することができないことによって悪化する。
【０００８】
器具の壁厚は０．０５ｍｍであるので、圧力をかけずにかつ切開角度を探索することなく植毛片を切開部内に挿入することが可能である。これにより、カーリングを防ぎ、１００％の成功率でより高い成長レートを実現する。予想される密度と自然な外観に到達しながら、１００％の成功率と面倒で費用のかかる植毛処置の回避は、理想的な結果である。
【０００９】
器具は、長い毛または部分的に剃毛されたＦＵＥ処置に対して、同様に効果的である。長い髪の毛または部分的に剃毛されたＦＵＥでは、毛包を摘出するために患者の毛は短くされるか、部分的に剃毛される。植毛片は、完全に剃毛されたＦＵＥ処置の場合のように予め作られた微小切開部内に配置される。（その後の切開部は、肉眼で何千もの小さな赤い点として見える）。植毛片の移植後、この外観が完全に消えるまでに約１２ヶ月かかる。これらの２つのＦＵＥ処置では、切開部位は、長い毛で覆われており、毛髪繊維を通してはほとんど見ることができない。この可能性のおかげで、患者は次の日に彼らの通常の生活を再開することができる。
【図面の簡単な説明】
【００１０】
【図１】本発明の側面図である。
【図２】本発明の端部領域図である。
【発明を実施するための形態】
【００１１】
本発明は、先に得られた植毛片について植毛プロセス中に禿頭頭皮上で行われる微小切開部内への配置を可能にする植毛片配置装置に関する。本発明は、壁厚（１）、端部領域（２）、狭い溝部（３）、広い溝部（４）、金属管（５）、ハンドルグリップ（６）、およびフィンガースロット（７）からなる。
【００１２】
植毛は、毛包の摘出から始まる。毛包の摘出の間、毛の剃毛または非剃毛は、適用に関して重要ではない。本発明はまた、長い毛の移植にも適している。摘出された植毛片は適切な環境内で保持され、移植領域内でサファイアブレードを用いて微小切開が行われる。
【００１３】
植毛処置を行っている人は、右手または左手の自分の指をフィンガースロット（７）に入れ、ハンドルグリップ（６）を介して本発明を保持する。移植を待っている先に摘出された植毛片は、顕微鏡下で鉗子を介して狭い切開部（３）内に配置され、これは切開部（４）内への毛包の配置を可能にする。狭い溝部（３）、広い溝部（４）は、金属管（５）の内側に配置される。端部領域（２）に存在する壁厚（１）は、切開部内への容易な挿入および摘出を可能にする０．０５ｍｍ厚となるように設計された。
【００１４】
操作者は、毛包を本発明内に配置し、そして端部領域（２）を切開部内に配置する。狭い溝部（３）および広い溝部（４）内の植毛片を細いスライダーの助けを利用して溝内でスライドさせる。この処置の間、植毛片に害を及ぼす可能性のある圧力が植毛片に加わることはない。植毛片はいかなる点でも固着することなく動くので、いかなる害も受けず、カールしない。植毛片が金属管（５）内の必要な深さに達した後、配置器具を引っ込め、毛包を切開部内に残す。本発明技術による成功率は１００％である。
【００１５】
ハンドルグリップ（６）はシリコーン製で、滑りを防止する。さらに、滅菌に使用される装置内の高温洗浄にも適している。
【００１６】
操作者が配置ツールに自分の指を置くことができるフィンガースロット（７）が存在する。操作者は、フィンガースロット（７）を介して必要な動きを容易に実行することができる。フィンガースロット（７）は、配置ツールの右端または左端に配置されてもよい。
【符号の説明】
【００１７】
１  壁厚
２  端部領域
３  狭い管部
４  広い管部
５  金属管
６  ハンドルグリップ
７  フィンガースロット
【図１】
2019534128.tif 000003
【図２】
2019534128.tif 000004
【国際調査報告】
2019534128.tif 000005
2019534128.tif 000006